(57)【要約】      （修正有）【課題】表示される情報の視認性の低下を抑制し得る車両用表示装置を提供する。【解決手段】標識灯は、車両の外部に向かって表示を行う反射型ディスプレイと、反射型ディスプレイの表示部３１に対向して配置される導光板４０と、を備える。導光板４０は、表示部３１側から入射する光及び表示部３１側と反対側から入射する光を透過するとともに、表示部３１側から入射する光及び表示部３１側と反対側から入射する光と異なる光を表示部３１側に出射する。【選択図】図５
2019185896.tif 000002
【特許請求の範囲】
【請求項１】
車両の外部に向かって表示を行う反射型ディスプレイと、
前記反射型ディスプレイの表示部に対向して配置される光出射部材と、
を備え、
前記光出射部材は、前記表示部側から入射する光及び前記表示部側と反対側から入射する光を透過するとともに、前記表示部側から入射する光及び前記表示部側と反対側から入射する光と異なる光を前記表示部側に出射する
ことを特徴とする車両用表示装置。
【請求項２】
前記光出射部材は、一方の面が前記表示部と対向して配置される導光板とされ、
前記導光板は、前記一方の面及び他方の面から入射する光と異なる光が入射する入射面を有し、
前記導光板の前記他方の面には、前記入射面から入射する光を前記表示部側に内部反射するステップが形成される複数のステップ領域と、前記ステップ領域間に位置し平面とされる平面領域と、が設けられる
ことを特徴とする請求項１に記載の車両用表示装置。
【請求項３】
前記導光板の側面の少なくとも一部は、前記入射面から入射する光を内部反射する反射部とされる
ことを特徴とする請求項２に記載の車両用表示装置。
【請求項４】
前記反射部は、前記入射面から入射する光を前記表示部側に内部反射する
ことを特徴とする請求項３に記載の車両用表示装置。
【請求項５】
前記ステップには、反射部材が設けられる
ことを特徴とする請求項２から４のいずれか１項に記載の車両用表示装置。
【請求項６】
前記導光板と前記表示部との間に介在する光透過性の接着層を更に備える
ことを特徴とする請求項２から５のいずれか１項に記載の車両用表示装置。
【請求項７】
前記複数のステップ領域は、前記導光板を平面視する場合に、互いに平行な直線状に延在する領域とされ、
前記ステップ領域の短手方向の幅は、０．１ｍｍ以上２．５ｍｍ以下であるとともに前記ステップ領域間の幅よりも小とされる
ことを特徴とする請求項２から６のいずれか１項に記載の車両用表示装置。
【請求項８】
前記複数のステップ領域は、前記導光板を平面視する場合に、前記表示部の画素間に位置する
ことを特徴とする請求項２から７のいずれか１項に記載の車両用表示装置。
【請求項９】
前記複数のステップ領域は、前記導光板を平面視する場合に、互いに平行な直線状に延在する領域とされ、
前記ステップ領域のピッチは、前記表示部の画素のピッチの自然数倍である
ことを特徴とする請求項２から８のいずれか１項に記載の車両用表示装置。
【請求項１０】
前記入射面に入射する光を出射する光源を更に備える
ことを特徴とする請求項２から９のいずれか１項に記載の車両用表示装置。
【請求項１１】
前記入射面は、前記光源から出射する光が入射する光源用入射面と、前記車両の外部に位置する光源から出射する光が入射する外光用入射面とを含む
ことを特徴とする請求項１０に記載の車両用表示装置。
【請求項１２】
前記反射型ディスプレイを収容する筐体を更に備え、
前記導光板は、前記筐体の一部とされる
ことを特徴とする請求項２から１１のいずれか１項に記載の車両用表示装置。
【請求項１３】
前記光出射部材は、前記表示部と対向して配置される面発光体とされ、
前記面発光体は、前記表示部側に光を出射する複数の発光部と、前記発光部間に位置し前記表示部側から入射する光及び前記表示部側と反対側から入射する光を透過する透過部と、を有する
ことを特徴とする請求項１に記載の車両用表示装置。
【請求項１４】
前記発光部は、前記表示部側と反対側に光を非出射とされる
ことを特徴とする請求項１３に記載の車両用表示装置。
【請求項１５】
前記面発光体と前記表示部との間に介在する光透過性の接着層を更に備える
ことを特徴とする請求項１３または１４に記載の車両用表示装置。
【請求項１６】
前記複数の発光部は、前記面発光体を前記表示部側と反対側から平面視する場合に、互いに平行な直線状に延在し、
前記発光部の短手方向の幅は、０．１ｍｍ以上２．５ｍｍ以下であるとともに前記発光部間の幅よりも小とされる
ことを特徴とする請求項１３から１５のいずれか１項に記載の車両用表示装置。
【請求項１７】
前記複数の発光部は、前記面発光体を前記表示部側と反対側から平面視する場合に、前記表示部の画素間に位置する
ことを特徴とする請求項１３から１６のいずれか１項に記載の車両用表示装置。
【請求項１８】
前記複数の発光部は、前記面発光体を前記表示部側と反対側から平面視する場合に、互いに平行な直線状に延在し、
前記発光部のピッチは、前記表示部の画素のピッチの自然数倍である
ことを特徴とする請求項１３から１７のいずれか１項に記載の車両用表示装置。
【発明の詳細な説明】
【技術分野】
【０００１】
本発明は、車両用表示装置に関し、特に車両の外部に向かって表示を行うものに関する。
【背景技術】
【０００２】
車両の状態等の情報を外部に向かって表示する車両用表示装置が知られている。この車両用表示装置として、液晶表示装置等のディスプレイ装置が用いられる場合がある。例えば、下記特許文献１には、このような車両用表示装置が記載されている。
【先行技術文献】
【特許文献】
【０００３】
【特許文献１】特表２００７−５３１９０４号公報
【発明の概要】
【発明が解決しようとする課題】
【０００４】
ところで、ディスプレイ装置として、光源を有して当該光源から出射する光によって表示を行う自発光型ディスプレイが知られており、このような自発光型ディスプレイと上記特許文献１のような車両用表示装置とを組み合わせることが考えられる。この場合、自発光型ディスプレイは、太陽光が照射される日中の屋外で使用されることになる。しかし、太陽光が照射される環境では、周囲の明るさに比べて自発光型ディスプレイの表示部から出射される光の輝度が低くて表示部に表示される情報の視認性が低下する傾向がある。このため、日中における車両用表示装置が表示する情報の視認性が低下することを抑制したいとの要請がある。
【０００５】
このような要請に対して、表示部に入射する光を反射して出射させることで表示を行う反射型ディスプレイと上記特許文献１のような車両用表示装置とを組み合わせることが考えられる。太陽光が照射される環境では、反射型ディスプレイは太陽光を用いて情報を表示し得る。一般的に、太陽光の輝度は自発光型ディスプレイの光源から出射される光の輝度よりも高いため、自発光型ディスプレイと比べて反射型ディスプレイの表示部から出射される光の輝度を高くし得る。このため、反射型ディスプレイと車両用表示装置とを組み合わせることにより、太陽光が照射される環境における車両用表示装置が表示する情報の視認性が低下することを抑制し得る。
【０００６】
しかし、このような反射型ディスプレイでは、例えばボディ等の車両が備える部材によって反射型ディスプレイの表示部に向かう光の一部が遮られる環境や、夜間等の暗い環境において、表示部に入射する光の量を十分に得られなくなる場合がある。この場合、反射型ディスプレイの表示部から出射される光の輝度が低下して表示部に表示される情報の視認性が低下することが危惧される。
【０００７】
そこで、表示される情報の視認性の低下を抑制し得る車両用表示装置を提供しようとするものである。
【課題を解決するための手段】
【０００８】
上記目的の達成のため、本発明の車両用表示装置は、車両の外部に向かって表示を行う反射型ディスプレイと、前記反射型ディスプレイの表示部に対向して配置される光出射部材と、を備え、前記光出射部材は、前記表示部側から入射する光及び前記表示部側と反対側から入射する光を透過するとともに、前記表示部側から入射する光及び前記表示部側と反対側から入射する光と異なる光を前記表示部側に出射することを特徴とする。
【０００９】
このような車両用表示装置では、光出射部材は表示部よりも車両の外部側に位置し、表示部側から入射する光及び表示部側と反対側から入射する光を透過する。このため、太陽や街路灯等の車両の外部に位置する光源からの光である外光は光出射部材の表示部側と反対側から入射し、光出射部材に入射するこの外光は光出射部材を透過して表示部に入射し得る。また、表示部から出射する光は光出射部材を透過して当該光出射部材の表示部側とは反対側から出射し得る。このため、反射型ディスプレイは太陽光を含む外光を用いて情報を表示することができ、自発光型ディスプレイと比べて太陽光が照射される環境における情報の視認性が低下することを抑制し得る。また、光出射部材は、表示部側から入射する光及び表示部側と反対側から入射する光と異なる光を表示部側に出射するため、反射型ディスプレイは、光出射部材を透過する外光及び光出射部材から表示部側に出射される光を用いて表示を行うことができる。このため、光出射部材を透過して表示部に入射する外光の量が低下する場合であっても、反射型ディスプレイの表示部から出射される光の輝度の低下を抑制し得る。このように、上記車両用表示装置では、表示される情報の視認性の低下を抑制し得る。
【００１０】
前記光出射部材は、一方の面が前記表示部と対向して配置される導光板とされ、前記導光板は、前記一方の面及び他方の面から入射する光と異なる光が入射する入射面を有し、前記導光板の前記他方の面には、前記入射面から入射する光を前記表示部側に内部反射するステップが形成される複数のステップ領域と、前記ステップ領域間に位置し平面とされる平面領域と、が設けられることとしても良い。
【００１１】
このような構成にすることで、導光板の他方の面における平面領域から入射する外光は、当該導光板を透過して表示部に入射し得る。また、表示部から出射して導光板の一方の面に入射する光は、導光板を透過して当該導光板の他方の面における平面領域から出射し得る。このため、反射型ディスプレイは太陽光を含む外光を用いて情報を表示することができ、自発光型ディスプレイと比べて太陽光が照射される環境における情報の視認性が低下することを抑制し得る。また、導光板は入射面から入射する光をステップによって表示部側に内部反射させるため、入射面から入射する光は、導光板の一方の面から出射して表示部に入射し得る。このため、反射型ディスプレイは、導光板を透過する外光及び導光板の入射面から入射する光を用いて表示を行うことができる。このため、他方の面側から一方の面側に導光板を透過して表示部に入射する外光の量が低下する場合であっても、反射型ディスプレイの表示部から出射される光の輝度の低下を抑制し得る。
【００１２】
光出射部材が導光板とされる場合、前記導光板の側面の少なくとも一部は、前記入射面から入射する光を内部反射する反射部とされることが好ましい。
【００１３】
このような構成にすることで、入射面から入射する光を反射部で内部反射してステップに向かわせ得る。このため、導光板の側面の少なくとも一部が入射面から入射する光を内部反射する反射部とされない場合と比べて、より多くの光を表示部に入射させ得るため、反射型ディスプレイの表示部から出射される光の輝度の低下をより抑制し得る。
【００１４】
導光板の側面の少なくとも一部が入射面から入射する光を内部反射する反射部とされる場合、前記反射部は、前記入射面から入射する光を前記表示部側に内部反射することとしても良い。
【００１５】
このような構成にすることで、入射面から入射する光を反射部で内部反射して表示部に入射させ得る。このため、導光板の側面の少なくとも一部が入射面から入射する光を表示部側に内部反射する反射部とされない場合と比べて、より多くの光を表示部に入射させ得るため、反射型ディスプレイの表示部から出射される光の輝度の低下をより抑制し得る。
【００１６】
光出射部材が導光板とされる場合、前記ステップには、反射部材が設けられることとしても良い。
【００１７】
このような構成にすることで、ステップは、反射部材が設けられない場合と比べて、より多くの光を表示部側に内部反射し得るため、反射型ディスプレイの表示部から出射される光の輝度の低下をより抑制し得る。
【００１８】
光出射部材が導光板とされる場合、上記車両用表示装置は、前記導光板と前記表示部との間に介在する光透過性の接着層を更に備えることが好ましい。
【００１９】
このような構成にすることで、導光板と表示部との間に空気の層が介在する場合と比べて、入射面から入射してステップによって表示部側に内部反射する光が導光板の表示部側の面でフルネル反射することを抑制し得る。このため、より多くの光を表示部に入射させ得るため、反射型ディスプレイの表示部から出射される光の輝度の低下をより抑制し得る。また、反射型ディスプレイの表示部から出射する光が導光板の表示部側の面でフルネル反射することを抑制し得る。このため、表示部から出射して導光板を透過する光の輝度の低下を抑制し得る。従って、表示部に表示される情報の視認性の低下を抑制し得る。
【００２０】
光出射部材が導光板とされる場合、前記複数のステップ領域は、前記導光板を平面視する場合に、互いに平行な直線状に延在する領域とされ、前記ステップ領域の短手方向の幅は、０．１ｍｍ以上２．５ｍｍ以下であるとともに前記ステップ領域間の幅よりも小とされることが好ましい。
【００２１】
このような構成にすることで、人がステップを認識することが難しくなり、ステップと重なる表示部に表示される情報が歪んで見えたりすることを抑制し得る。このため、ステップによって表示部に表示される情報の視認性が低下することを抑制し得る。
【００２２】
光出射部材が導光板とされる場合、前記複数のステップ領域は、前記導光板を平面視する場合に、前記表示部の画素間に位置することが好ましい。
【００２３】
このような構成にすることで、ステップと表示部の画素とが重ならないため、表示部に表示される情報が歪んで見えたりすることを抑制し得る。このため、ステップによって表示部に表示される情報の視認性が低下することを抑制し得る。
【００２４】
光出射部材が導光板とされる場合、前記複数のステップ領域は、前記導光板を平面視する場合に、互いに平行な直線状に延在する領域とされ、前記ステップ領域のピッチは、前記表示部の画素のピッチの自然数倍であることとされても良い。
【００２５】
このような構成にすることで、複数のステップ領域が互いに平行な直線状に延在しない場合と比べて、導光板の生産性が向上し得る。また、ステップと表示部に表示される情報とが干渉してモアレが生じることを抑制し得る。このため、ステップによって表示部に表示される情報の視認性が低下することを抑制し得る。
【００２６】
光出射部材が導光板とされる場合、前記入射面に入射する光を出射する光源を更に備えることとしても良い。
【００２７】
このように構成することで、昼夜を問わず表示部に情報を表示し得るため、例えば、車両に設けられるストップランプ、ターンランプ等の標識灯として利用し得る。
【００２８】
車両用表示装置が光源を備える場合、前記入射面は、前記光源から出射する光が入射する光源用入射面と、前記車両の外部に位置する光源から出射する光が入射する外光用入射面とを含むこととされても良い。
【００２９】
ここで、車両の外部に位置する光源から出射する光とは、太陽や街路灯等の車両の外部に位置する光源からの光である外光である。このため、このように構成することで、昼夜を問わず表示部に情報を表示し得るとともに、外光用入射面がない場合と比べて、より多くの外光を表示部に入射し得る。このため、反射型ディスプレイの表示部から出射される光の輝度の低下をより抑制し得る。
【００３０】
光出射部材が導光板とされる場合、上記車両用表示装置は、前記反射型ディスプレイを収容する筐体を更に備え、前記導光板は、前記筐体の一部とされても良い。
【００３１】
このように構成することで、反射型ディスプレイが筐体によって保護される。また、導光板は筐体の一部とされるため、導光板が筐体の一部とされない場合と比べて、部品点数が多くなることを抑制することができる。
【００３２】
前記光出射部材は、前記表示部と対向して配置される面発光体とされ、前記面発光体は、前記表示部側に光を出射する複数の発光部と、前記発光部間に位置し前記表示部側から入射する光及び前記表示部側と反対側から入射する光を透過する透過部と、を有することとしても良い。
【００３３】
このような構成にすることで、面発光体の透過部に入射する外光は、当該透過部を透過して表示部に入射し得る。また、表示部から出射して面発光体の透過部に入射する光は、当該透過部を透過して当該透過部の表示部側と反対側から出射し得る。このため、反射型ディスプレイは太陽光を含む外光を用いて情報を表示することができ、自発光型ディスプレイと比べて太陽光が照射される環境における情報の視認性が低下することを抑制し得る。また、面発光体の発光部は表示部側に光を出射するため、発光部から出射する光は表示部に入射し得る。このため、反射型ディスプレイは、外光及び発光部から出射する光を用いて表示を行うことができる。このため、透過部を透過して表示部に入射する外光の量が低下する場合であっても、反射型ディスプレイの表示部から出射される光の輝度の低下を抑制し得る。
【００３４】
光出射部材が面発光体とされる場合、前記発光部は、前記表示部側と反対側に光を非出射とされることが好ましい。
【００３５】
このような構成にすることで、例えば発光部から光が出射されている場合であっても、表示部に表示される情報の視認性が低下することを抑制し得る。
【００３６】
光出射部材が面発光体とされる場合、上記車両用表示装置は、前記面発光体と前記表示部との間に介在する光透過性の接着層を更に備えることが好ましい。
【００３７】
このような構成にすることで、面発光体と表示部との間に空気の層が介在する場合と比べて、面発光体の発光部から表示部側に出射する光が面発光体の表示部側の面でフルネル反射することを抑制し得る。このため、より多くの光を表示部に入射させ得るため、反射型ディスプレイの表示部から出射される光の輝度の低下をより抑制し得る。また、反射型ディスプレイの表示部から出射する光が面発光体の表示部側の面でフルネル反射することを抑制し得る。このため、表示部から出射して面発光体の透過部を透過する光の輝度の低下を抑制し得る。従って、表示部に表示される情報の視認性の低下を抑制し得る。
【００３８】
光出射部材が面発光体とされる場合、前記複数の発光部は、前記面発光体を前記表示部側と反対側から平面視する場合に、互いに平行な直線状に延在し、前記発光部の短手方向の幅は、０．１ｍｍ以上２．５ｍｍ以下であるとともに前記発光部間の幅よりも小とされることが好ましい。
【００３９】
このような構成にすることで、人が発光部を認識することが難しくなり、発光部と重なる表示部に表示される情報が欠けたように見えたりすることを抑制し得る。このため、発光部によって表示部に表示される情報の視認性が低下することを抑制し得る。
【００４０】
光出射部材が面発光体とされる場合、前記複数の発光部は、前記面発光体を前記表示部側と反対側から平面視する場合に、前記表示部の画素間に位置することが好ましい。
【００４１】
このような構成にすることで、発光部と表示部の画素とが重ならないため、表示部に表示される情報が欠けたように見えたりすることを抑制し得る。このため、発光部によって表示部に表示される情報の視認性が低下することを抑制し得る。
【００４２】
光出射部材が面発光体とされる場合、前記複数の発光部は、前記面発光体を前記表示部側と反対側から平面視する場合に、互いに平行な直線状に延在し、前記発光部のピッチは、前記表示部の画素のピッチの自然数倍であることとされても良い。
【００４３】
このような構成にすることで、発光部と反射型ディスプレイに表示される情報とが干渉してモアレが生じることを抑制し得る。このため、発光部によって表示部に表示される情報の視認性が低下することを抑制し得る。
【発明の効果】
【００４４】
以上のように本発明によれば、表示される情報の視認性の低下を抑制し得る車両用表示装置を提供し得る。
【図面の簡単な説明】
【００４５】
【図１】本発明の第１実施形態における車両用表示装置が搭載された車両の例を示す図である。
【図２】図１に示す標識灯の鉛直断面を概略的に示す図である。
【図３】図１に示す標識灯の正面図である。
【図４】反射型ディスプレイの正面図である。
【図５】図３におけるV−V線に沿った表示ユニットの断面図である。
【図６】図３の一部拡大してステップ領域の配置を説明する図である。
【図７】図３におけるVII−VII線に沿った表示ユニットの断面図である。
【図８】本発明の第２実施形態における表示ユニットを図７と同様に示す図である。
【図９】本発明の第３実施形態における標識灯を図２と同様に示す図である。
【図１０】図９の一部を拡大した図である。
【図１１】本発明の第４実施形態における標識灯を図２と同様に示す図である。
【図１２】図１１に示す標識灯を図３と同様に示す図である。
【図１３】図１２におけるXIII−XIII線に沿った表示ユニット２０の断面図である。
【図１４】図１２の一部拡大して反射電極の配置を説明する図である。
【発明を実施するための形態】
【００４６】
以下、本発明に係る車両用表示装置を実施するための形態が添付図面とともに例示される。以下に例示する実施形態は、本発明の理解を容易にするためのものであり、本発明を限定して解釈するためのものではない。本発明は、その趣旨を逸脱することなく、以下の実施形態から変更、改良することができる。
【００４７】
（第１実施形態）
図１は、本実施形態における車両用表示装置が搭載された車両の例を示す図である。図１は、車両ＶＥを後方側から見た図である。図１に示すように、本実施形態の車両用表示装置は標識灯１とされる。本実施形態の標識灯１は、車両ＶＥの背面における左右方向のそれぞれに１つずつ設けられている。それぞれの標識灯１は、車両ＶＥの外部に露出しており、車両ＶＥの外部に向けて光を出射する。
【００４８】
図２は、図１に示す標識灯の鉛直断面を概略的に示す図であり、図３は、図１に示す標識灯の正面図である。図２に示すように本実施形態の標識灯１は、筐体１０と、表示ユニット２０とを主な構成として備える。
【００４９】
筐体１０は、枠体１１、底板１２、及びカバー１３を有する。枠体１１は、車両ＶＥの外部に向かって概ね水平方向に延在する筒状の部材とされる。底板１２は、枠体１１における車両ＶＥの内部側の開口を塞ぐように、枠体１１の内部側の端部に接続されている。カバー１３は、無色で透光性を有する材料から成り、枠体１１における車両ＶＥの外部側の開口を塞ぐように枠体１１の外部側の端部に取り付けられている。このような構成の筐体１０には、枠体１１、底板１２、及びカバー１３によって囲われた内部空間１４が形成されている。筐体１０は、車両ＶＥの外装の一部である外板５に形成された開口に嵌め込まれ、不図示の手段により外板５に固定されている。
【００５０】
図２、図３に示すように、本実施形態の表示ユニット２０は、反射型ディスプレイ３０と、光出射部材として導光板４０と、光源５０と、制御部７０とを主な構成として備える。表示ユニット２０は、筐体１０の内部空間１４に収容され、不図示の手段によって筐体１０に固定されている。
【００５１】
図４は、反射型ディスプレイ３０の正面図である。図２から図４に示すように、本実施形態の反射型ディスプレイ３０は、表示部３１と、縁部カバー３２とを主な構成として備える。なお、図２では表示部３１の内部の記載が省略され、図４では縁部カバー３２の記載が省略されている。本実施形態の縁部カバー３２は、表示部３１の側面の全周及び背面側を覆っている。なお、縁部カバー３２は特に限定されるものではなく、例えば表示部３１の背面側を覆っていなくても良く、反射型ディスプレイ３０は縁部カバー３２を備えなくても良い。
【００５２】
本実施形態の反射型ディスプレイ３０は、表示部３１の表示面３１Ｓから入射する光を表示部３１の内部で反射して表示面３１Ｓから出射させることで表示を行うディスプレイとされ、例えば、反射型液晶ディスプレイから成る。反射型ディスプレイ３０は、外周が筐体１０の枠体１１によって覆われるとともに、表示部３１の表示面３１Ｓがカバー１３と対向するように配置される。このため、表示面３１Ｓは、車両ＶＥの外部からカバー１３及び枠体１１における車両ＶＥの外部側の開口を介して視認可能とされており、反射型ディスプレイ３０は、車両ＶＥの外部に向かって表示を行うように配置されている。
【００５３】
表示部３１は、長方形の外形を有し、当該長方形内にマトリックス状に配置された複数の画素を有している。それぞれの画素は、入射する光を反射して赤色の光を出射する赤色表示用ドットと、入射する光を反射して緑色の光を出射する緑色表示用ドットと、入射する光を反射して青色の光を出射する青色表示用ドットとを含んでいる。従って、本実施形態では、反射型ディスプレイ３０はＲＢＧのカラー表示が可能とされる。また、図４に示すように、表示部３１の横側には走査線駆動回路３４Ｈが配置されており、表示部３１の上下方向の一方側にはデータ線駆動回路３４Ｖが配置されている。走査線駆動回路３４Ｈ及びデータ線駆動回路３４Ｖは、それぞれの画素の各表示用ドットに電気的に接続されている。走査線駆動回路３４Ｈ及びデータ線駆動回路３４Ｖから各表示用ドットに電圧が印加されることにより、ＲＧＢの各表示用ドットに入射する光の反射と非反射の状態や反射する光の量が制御される。つまり、ＲＧＢの各表示用ドットからの光の出射と非出射の状態や出射する光の量が制御される。
【００５４】
また、本実施形態の表示部３１は、複数の領域に区分けされたそれぞれの領域が個別に点灯する。具体的には、表示部３１は、上方から順にストップランプ領域３１Ａ、ターンランプ領域３１Ｂ、及びバックランプ領域３１Ｃに区分けされている。ストップランプ領域３１Ａは車両ＶＥのブレーキが操作されたときに赤色に点灯する領域である。ターンランプ領域３１Ｂは車両ＶＥの方向指示器が操作されたときに橙色に点滅する領域である。バックランプ領域３１Ｃは車両ＶＥのギアがバックギアに入れられたとき白色に点灯する領域である。このため、ストップランプ領域３１Ａにおける画素は、赤色の光を出射する赤色表示用ドットを含んでいれば良く、緑色の光を出射する緑色表示用ドットと、青色の光を出射する青色表示用ドットとを含んでいなくても良い。また、ターンランプ領域３１Ｂにおける画素は、赤色の光を出射する赤色表示用ドットと、緑色の光を出射する緑色表示用ドットとを含んでいれば良く、青色の光を出射する青色表示用ドットを含んでいなくても良い。
【００５５】
導光板４０は、例えば透光性を有する透明な樹脂から成る板状部材とされる。図３に示すように、本実施形態の導光板４０は、長方形の外形を有し、一方の面が反射型ディスプレイ３０の表示部３１の表示面３１Ｓに対向して配置されている。導光板４０は、当該導光板４０を平面視する場合に、表示部３１の表示面３１Ｓの全体を覆っている。導光板４０における左右方向の一方の側面は、光源５０から出射される光が入射される入射面４１とされる。このため、光源５０から出射されて入射面４１に入射する光は、導光板４０の内部を入射面４１側から入射面４１側と反対側の側面側に向かって伝搬する。
【００５６】
図５は、図３におけるV−V線に沿った表示ユニット２０の断面図であり、入射面４１及び表示面３１Ｓと概ね垂直な表示ユニット２０の断面図である。なお、図５では反射型ディスプレイ３０における表示部３１の内部の記載及び縁部カバー３２の記載が省略されている。図５に示すように、導光板４０における表示部３１側と反対側の面には、ステップ４４が形成される複数のステップ領域４３と、ステップ領域４３間に位置し平面とされる平面領域４５と、が設けられる。
【００５７】
ステップ４４は、導光板４０における表示部３１側と反対側の面が表示部３１側に凹む凹みとされる。本実施形態におけるステップ４４は、傾斜面４４Ａと接続面４４Ｂとを有する。傾斜面４４Ａは、入射面４１と垂直な方向における入射面４１側から入射面４１側と反対側に向かって表示部３１側に傾斜する面である。接続面４４Ｂは、傾斜面４４Ａにおける入射面４１側と反対側の端に接続し導光板４０の厚さ方向と概ね平行とされる面である。また、ステップ４４は、導光板４０を平面視する場合に、上下方向における一方の縁から他方の縁まで直線状に延在しており、１つのステップ領域４３に２つのステップ４４が隙間なく並列して形成されている。このため、複数のステップ領域４３は、導光板４０を平面視する場合に、互いに平行な直線状に延在する領域とされ、入射面４１と概ね平行とされている。このため、入射面４１から入射して導光板４０の内部を伝搬する光Ｌ１の一部は、ステップ４４の傾斜面４４Ａで表示部３１側に内部反射される。一方、上記のように平面領域４５は平面とされるため、この平面領域４５に入射する光Ｌ２の一部は、導光板４０を透過して表示部３１側の面から出射する。また、表示部３１側の面に入射する光Ｌ３の一部は、導光板４０を透過して平面領域４５から出射する。このため、導光板４０は、表示部３１側から入射する光Ｌ３及び表示部３１側と反対側から入射する光Ｌ２を透過するとともに、表示部３１側から入射する光Ｌ３及び表示部３１側と反対側から入射する光Ｌ２と異なる光である入射面４１から入射する光Ｌ１を表示部３１側に出射すると理解できる。なお、複数のステップ領域４３は、上記のように、導光板４０を平面視する場合に、互いに平行な直線状に延在する領域とされ、このようなステップ領域４３間に平面領域４５が位置している。このため、平面領域４５は、ステップ領域４３と同様に、導光板４０を平面視する場合に、直線状に延在する領域とされている。なお、本実施形態におけるステップ領域４３の短手方向の幅Ｗ１は、ステップ領域４３間の幅Ｗ２よりも小とされている。このステップ領域４３間の幅Ｗ２は、ステップ領域４３の短手方向における平面領域４５の幅でもある。
【００５８】
図６は、図３の一部拡大してステップ領域の配置を説明する図である。図６に示すように、ステップ領域４３は、導光板４０を平面視する場合に、赤色表示用ドット３６Ｒと緑色表示用ドット３６Ｇと青色表示用ドット３６Ｂとを含む表示部３１の画素３５間に位置している。このため、ステップ領域４３は、導光板４０を平面視する場合に、表示部３１が有する画素３５と重なっていない。なお、本実施形態では、左右方向における画素３５間のそれぞれに１つのステップ領域４３が位置している。言い換えると、ステップ領域４３のピッチは、画素３５の左右方向のピッチと同じとされ、平面領域４５内に画素３５が位置している。
【００５９】
図７は、図３におけるVII−VII線に沿った表示ユニットの断面図であり、入射面４１と対向する導光板４０における左右方向の他方の側面を横切る表示ユニット２０の断面図である。図７に示すように、入射面４１と対向する導光板４０における左右方向の他方の側面は、入射面４１と垂直な方向における入射面４１側から入射面４１側と反対側に向かって表示部３１側に傾斜する反射部４２とされる。このため、入射面４１から入射して導光板４０の内部を伝搬する光Ｌ１の一部は、この反射部４２で表示部３１側に内部反射される。つまり、反射部４２は、入射面から入射する光Ｌ１の一部を表示部３１側に内部反射する。
【００６０】
このような導光板４０は、反射型ディスプレイ３０に接着される。具体的には、図５、図７に示すように、導光板４０と表示部３１との間に配置され光透過性を有する接着層６０によって、導光板４０の一方の面が表示部３１に接着される。つまり、接着層６０は、導光板４０と表示部３１との間に介在して導光板４０と表示部３１とを接着する接着層である。本実施形態では、接着層６０は導光板４０と縁部カバー３２との間にも介在しており、導光板４０は縁部カバー３２にも接着されている。また、接着層６０は、無色で透光性を有し、反射型ディスプレイ３０の表示部３１の表示面３１Ｓを覆っている。このため、導光板４０の表示部３１側の面から出射する光の一部は、接着層６０を透過して表示部３１に入射する。また、表示部３１の表示面３１Ｓから出射する光の一部は、接着層６０を透過して導光板４０に入射し、導光板４０を透過して平面領域４５から出射する。なお、本実施形態の接着層６０の屈折率は、導光板４０の屈折率と表示部３１における表示面３１Ｓを構成する部材の屈折率との間の値とされている。このような接着層６０は、光透過性を有して導光板４０と反射型ディスプレイ３０とを接着する限りにおいて、特に限定されるものではない。接着層６０の材料として、例えば、熱可塑性樹脂、熱硬化性樹脂や光硬化樹脂等が挙げられる。
【００６１】
ところで、上記のように、反射型ディスプレイ３０は表示部３１の表示面３１Ｓがカバー１３と対向するように配置されており、導光板４０は表示面３１Ｓを覆い、接着層６０は表示面３１Ｓと導光板４０との間に介在している。また、カバー１３、導光板４０、及び接着層６０は透光性を有する。このため、反射型ディスプレイ３０における表示部３１の表示面３１Ｓは、車両ＶＥの外部からカバー１３、枠体１１における車両ＶＥの外部側の開口、導光板４０、及び接着層６０を介して視認可能とされている。つまり、反射型ディスプレイ３０は、車両ＶＥの外部に向かって表示を行うように配置されており、反射型ディスプレイ３０における表示部３１の表示面３１Ｓには、太陽や街路灯等の車両ＶＥの外部に位置する光源からの光である外光が入射する。具体的には、図２に示すように、太陽光や街路灯の光等の斜め上方から表示面３１Ｓに向かう外光Ｌ４Ａや、太陽光や街路灯の光等が路面等で反射して斜め下方から表示面３１Ｓに向かう外光Ｌ４Ｂ等が、カバー１３、導光板４０、及び接着層６０を透過して表示面３１Ｓに入射する。なお、上記のように、車両ＶＥの外板５に形成された開口に嵌め込まれる筐体１０の枠体１１によって反射型ディスプレイ３０の外周が覆われている。このため、表示面３１Ｓに向かう外光Ｌ４Ａ，Ｌ４Ｂの一部は、外板５や筐体１０の枠体１１によって遮られて表示部３１に入射しない場合がある。
【００６２】
図３に示す光源５０は、回路基板５２に実装された発光素子５１を有しており、発光素子５１が導光板４０の入射面４１に対向するように配置されている。回路基板５２を介して発光素子５１に電力が供給されることによって、発光素子５１から光が出射される。本実施形態の発光素子５１は、導光板４０の入射面４１に沿って上下方向に並列される複数のＬＥＤからなるＬＥＤアレイとされ、このＬＥＤアレイからは白色の光が出射される。なお、光源５０は、導光板４０の入射面４１に光を入射することができる限りにおいて、特に限定されるものではない。
【００６３】
制御部７０は、図４に示すように、上記の表示部３１の走査線駆動回路３４Ｈと、データ線駆動回路３４Ｖと、光源５０とに電気的に接続されており、表示部３１の各画素３５の光の出射と非出射の状態及び光源５０の光の出射と非出射の状態を制御する。制御部７０は、この制御を外部から制御部７０に入力する信号に基づいて行う。本実施形態では、制御部７０は、車両ＶＥの制御装置７５等に電気的に接続されている。
【００６４】
次に、表示ユニット２０の動作について説明する。
【００６５】
以下では、ストップランプ領域３１Ａが点灯される場合を例に説明し、ターンランプ領域３１Ｂが点滅される場合、及びバックランプ領域３１Ｃが点灯される場合については説明を省略する。上記の制御部７０は、車両ＶＥの制御装置７５からのブレーキ動作を示す信号を検知して、ブレーキ動作を示す信号が制御部に入力している入力状態の場合には、表示部３１及び光源５０を制御して、表示部３１のストップランプ領域３１Ａを点灯させる。具体的には、制御部７０は、光源５０を制御して、光源５０から出射する光を導光板４０の入射面４１に入射させる。導光板４０の入射面４１に入射する光の一部は、上記のように、導光板４０を伝搬して導光板４０のステップ４４によって表示部３１側に内部反射し、接着層６０を透過して表示部３１の表示面３１Ｓに入射する。なお、ステップ４４の傾斜面４４Ａの角度は、内部反射した光の少なくとも一部が平面領域４５内に位置する表示部３１に入射するようにされている。更に、制御部７０は、上記の走査線駆動回路３４Ｈ及びデータ線駆動回路３４Ｖを駆動させる。走査線駆動回路３４Ｈ及びデータ線駆動回路３４Ｖは、印加する電圧を調整して、表示部３１のそれぞれの画素３５の赤色表示用ドット３６Ｒ、緑色表示用ドット３６Ｇ及び青色表示用ドット３６Ｂの光の出射の状態を調整する。具体的には、走査線駆動回路３４Ｈ及びデータ線駆動回路３４Ｖは、ストップランプ領域３１Ａにおけるそれぞれの画素３５の赤色表示用ドット３６Ｒが入射する光を反射して光を出射する状態に調節する。なお、他の画素３５の各表示用ドットは光を出射しない状態に調整される。このため、上記のように光源５０から出射して表示部３１の表示面３１Ｓに入射する光は、入射する光を反射して光を出射する状態とされたストップランプ領域３１Ａにおけるそれぞれの画素３５の赤色表示用ドット３６Ｒから出射する。また、上記のように、反射型ディスプレイ３０における表示部３１の表示面３１Ｓには、太陽や街路灯等の車両ＶＥの外部に位置する光源からの光である外光も入射する。このため、表示面３１Ｓに入射する光は、光源５０から出射して表示面３１Ｓに入射する光と同様に、入射する光を反射して光を出射する状態とされたストップランプ領域３１Ａにおけるそれぞれの画素３５の赤色表示用ドット３６Ｒから出射する。このように、光源５０から出射する光及び外光がストップランプ領域３１Ａにおけるそれぞれの画素３５の赤色表示用ドット３６Ｒから出射することで、ストップランプ領域３１Ａが点灯され、標識灯１によってブレーキが操作されたことを示す情報が表示される。
【００６６】
以上説明したように、本実施形態の車両用表示装置である標識灯１は、車両ＶＥの外部に向かって表示を行う反射型ディスプレイ３０と、反射型ディスプレイ３０の表示部３１に対向して配置される光出射部材としての導光板４０と、を備える。導光板４０は、一方の面が表示部３１と対向して配置され、一方の面及び他方の面から入射する光と異なる光が入射する入射面４１を有する。導光板４０の他方の面には、入射面４１から入射する光を表示部３１側に内部反射するステップ４４が形成される複数のステップ領域４３と、ステップ領域４３間に位置し平面とされる平面領域４５と、が設けられている。
【００６７】
このため、導光板４０の他方の面における平面領域４５から入射する外光は、当該導光板４０を透過して表示部３１に入射し得る。また、表示部３１から出射して導光板４０の一方の面に入射する光は、導光板４０を透過して当該導光板４０の他方の面における平面領域４５から出射し得る。このため、反射型ディスプレイ３０は太陽光を含む外光を用いて情報を表示することができ、自発光型ディスプレイと比べて太陽光が照射される環境における情報の視認性が低下することを抑制し得る。また、導光板４０は入射面４１から入射する光をステップ４４によって表示部３１側に内部反射させるため、入射面４１から入射する光は、導光板４０の一方の面から出射して表示部３１に入射し得る。このため、反射型ディスプレイ３０は、導光板４０を透過する外光及び導光板４０の入射面４１から入射する光を用いて表示を行うことができる。このため、他方の面側から一方の面側に導光板４０を透過して表示部３１に入射する外光の量が低下する場合であっても、反射型ディスプレイ３０の表示部３１から出射される光の輝度の低下を抑制し得る。このように、本実施形態の標識灯１では、表示される情報の視認性の低下を抑制し得る。
【００６８】
本実施形態では、入射面４１と対向する導光板４０における左右方向の他方の側面は、入射面４１から入射する光を内部反射する反射部４２とされ、反射部４２は、入射面４１から入射する光を表示部３１側に内部反射する。このため、入射面４１から入射する光を反射部４２で内部反射して表示部３１に入射させ得る。このため、導光板４０の側面の少なくとも一部が入射面４１から入射する光を表示部３１側に内部反射する反射部とされない場合と比べて、より多くの光を表示部３１に入射させ得るため、反射型ディスプレイ３０の表示部３１から出射される光の輝度の低下をより抑制し得る。なお、導光板４０の側面の少なくとも一部が反射部４２とされれば良く、例えば、上下方向の側面が反射部４２とされても良い。しかし、導光板４０を平面視する場合に入射面４１から入射する光の伝搬方向と非平行な側面が反射部とされることが好ましい。
【００６９】
本実施形態では、標識灯１は、導光板４０と表示部３１との間に介在する光透過性の接着層６０を備える。このため、導光板４０と表示部３１との間に空気の層が介在する場合と比べて、入射面４１から入射してステップ４４によって表示部３１側に内部反射する光が導光板４０の表示部３１側の面でフルネル反射することを抑制し得る。このため、より多くの光を表示部３１に入射させ得るため、反射型ディスプレイ３０の表示部３１から出射される光の輝度の低下をより抑制し得る。また、反射型ディスプレイ３０の表示部３１から出射する光が導光板４０の表示部３１側の面でフルネル反射することを抑制し得る。このため、表示部３１から出射して導光板４０を透過する光の輝度の低下を抑制し得る。従って、表示部３１に表示される情報の視認性の低下を抑制し得る。
【００７０】
本実施形態では、複数のステップ領域４３は、導光板４０を平面視する場合に、表示部３１の画素３５間に位置する。このため、ステップ４４と表示部３１の画素３５とが重ならないため、表示部３１に表示される情報が歪んで見えたりすることを抑制し得る。このため、ステップ４４によって表示部３１に表示される情報の視認性が低下することを抑制し得る。
【００７１】
本実施形態では、複数のステップ領域４３は、導光板４０を平面視する場合に、互いに平行な直線状に延在する領域とされ、ステップ領域４３のピッチは、表示部３１の画素３５のピッチと同じとされている。このため、複数のステップ領域４３が互いに平行な直線状に延在しない場合と比べて、導光板４０の生産性が向上し得る。また、ステップ４４と表示部３１に表示される情報とが干渉してモアレが生じることを抑制し得る。このため、ステップ４４によって表示部３１に表示される情報の視認性が低下することを抑制し得る。
【００７２】
なお、表示部３１に表示される情報の視認性が低下することを抑制する観点では、複数のステップ領域４３は、導光板４０を平面視する場合に、互いに平行な直線状に延在する領域とされ、ステップ領域４３の短手方向の幅Ｗ１は、０．１ｍｍ以上２．５ｍｍ以下であるとともにステップ領域４３間の幅Ｗ２よりも小とされることが好ましい。このような構成にすることで、人がステップ４４を認識することが難しくなり、ステップ４４と重なる表示部３１に表示される情報が歪んで見えたりすることを抑制し得る。このため、ステップ４４によって表示部３１に表示される情報の視認性が低下することを抑制し得る。
【００７３】
本実施形態では、入射面４１に入射する光を出射する光源５０を備える。このため、昼夜を問わず表示部３１に情報を表示できるため、標識灯１として機能できる。
【００７４】
（第２実施形態）
次に、本発明の第２実施形態について図８を参照して詳細に説明する。図８は、本発明の第２実施形態における表示ユニットを図７と同様に示す図である。なお、第１実施形態と同一又は同等の構成要素については、特に説明する場合を除き、同一の参照符号を付して重複する説明は省略する。
【００７５】
図８に示す本実施形態の表示ユニット２０は、導光板４０のステップ４４に反射部材４６が設けられる点、及び導光板４０の反射部４２に反射部材４７が設けられる点で第１実施形態の表示ユニット２０と異なる。
【００７６】
本実施形態では、導光板４０のステップ４４における傾斜面４４Ａ上に反射部材４６が設けられ、入射面４１と対向する導光板４０における左右方向の他方の側面である反射部４２上に反射部材４７が設けられている。反射部材４６，４７は、例えばそれぞれ金属蒸着等による反射膜とされる。このため、ステップ４４は、反射部材４６が設けられない場合と比べて、入射面４１から入射して導光板４０の内部を伝搬する光Ｌ１を表示部３１側により多く内部反射し得る。このため、反射型ディスプレイ３０の表示部３１から出射される光の輝度の低下をより抑制し得る。また、反射部４２は、反射部材４７が設けられない場合と比べて、入射面４１から入射して導光板４０の内部を伝搬する光Ｌ１を表示部３１側により多く内部反射し得る。このため、反射型ディスプレイ３０の表示部３１から出射される光の輝度の低下をより抑制し得る。なお、反射部材４６，４７は、反射膜に限定されるものではなく、例えば金属板等とされも良い。
【００７７】
（第３実施形態）
次に、本発明の第３実施形態について図９、図１０を参照して詳細に説明する。図９は、本発明の第３実施形態における標識灯を図２と同様に示す図であり、図１０は、図９の一部を拡大した図であり、導光板の近傍を拡大した図である。なお、第１実施形態と同一又は同等の構成要素については、特に説明する場合を除き、同一の参照符号を付して重複する説明は省略する。
【００７８】
図９に示すように、本実施形態の標識灯１は、筐体１０がカバー１３を備えない点、導光板４０が反射型ディスプレイ３０を収容する筐体１０の一部とされる点、及び導光板４０が光源用入射面４１Ａ及び外光用入射面４１Ｂを有する点で第１実施形態の標識灯１と異なる。また、図１０に示すように、本実施形態の標識灯１は、ステップ４４の形態が第１実施形態のステップ４４と異なる。
【００７９】
本実施形態では、導光板４０の外周部の全周が車両ＶＥの内部側に湾曲され、この外周部の端部の全周が枠体１１における車両ＶＥの外部側の端部の全周に接合されている。このため、枠体１１、底板１２、及び導光板４０によって囲われた内部空間１４が形成され、この内部空間１４内に反射型ディスプレイ３０が収容されている。つまり、導光板４０は、上記第１実施形態のカバー１３に替わって筐体１０の一部とされている。
【００８０】
また、導光板４０には、内部空間１４側に突出する光源用導光部４８Ａと、反射型ディスプレイ３０よりも上方側において車両ＶＥの外部及び上方側に突出する外光用導光部４８Ｂとが設けられている。光源用導光部４８Ａの端面は光源用入射面４１Ａとされ、外光用導光部４８Ｂの端面が外光用入射面４１Ｂとされる。外光用入射面４１Ｂは車両ＶＥの外部に露出されるとともに上方を向いている。このため、外光用入射面４１Ｂには、上方から外光用入射面４１Ｂに向かう外光が入射し得る。外光用入射面４１Ｂに入射する外光は、導光板４０の内部を反射型ディスプレイ３０の上方側から反射型ディスプレイ３０の下方側に向かって伝搬する。このため、導光板４０を平面視する場合に、導光板４０の内部を伝搬する外光は、表示部３１を上方側から下方側に横切るように伝搬する。なお、外光用入射面４１Ｂは車両ＶＥの外部に露出されていれば良く、外光用入射面４１Ｂの向きは特に限定されない。しかし、太陽光を直接入射させる観点では、外光用入射面４１Ｂは上方を向いていることが好ましい。
【００８１】
また、光源用入射面４１Ａと対向するように光源５０が配置されている。本実施形態では、反射型ディスプレイ３０よりも上方側と下方側とにそれぞれ光源用導光部４８Ａが設けられ、それぞれの光源用導光部４８Ａの光源用入射面４１Ａに対向するように光源５０が配置されている。このため、それぞれの光源用入射面４１Ａには、光源５０から出射する光が入射する。反射型ディスプレイ３０よりも上方側の光源用導光部４８Ａにおける光源用入射面４１Ａに入射する光は、導光板４０の内部を反射型ディスプレイ３０の上方側から反射型ディスプレイ３０の下方側に向かって伝搬する。このため、導光板４０を平面視する場合に、導光板４０の内部を伝搬するこの光は、表示部３１を上方側から下方側に横切るように伝搬する。一方、反射型ディスプレイ３０よりも下方側の光源用導光部４８Ａにおける光源用入射面４１Ａに入射する光は、導光板４０の内部を反射型ディスプレイ３０の下方側から反射型ディスプレイ３０の上方側に向かって伝搬する。このため、導光板４０を平面視する場合に、導光板４０の内部を伝搬するこの光は、表示部３１を下方側から上方側に横切るように伝搬する。
【００８２】
また、図１０に示すように、本実施形態におけるステップ４４は、第１傾斜面４４Ｃと第２傾斜面４４Ｄとを有する。第１傾斜面４４Ｃは、上方側から下方側に向かって表示部３１側に傾斜する面である。第２傾斜面４４Ｄは、第１傾斜面４４Ｃにおける下方側の端に接続し上方側から下方側に向かって表示部３１側と反対側に傾斜する面である。また、ステップ４４は、導光板４０を平面視する場合に、左右方向に直線状に延在して表示部３１を横切っており、１つのステップ領域４３に１つのステップ４４が形成されている。このため、複数のステップ領域４３は、導光板４０を平面視する場合に、互いに平行な直線状に延在する領域とされている。また、このステップ領域４３間は、平面とされる平面領域４５とされている。上記のように、第１傾斜面４４Ｃは、上方側から下方側に向かって表示部３１側に傾斜しているため、表示部３１を上方側から下方側に横切るように導光板４０の内部を伝搬する光Ｌ５は、第１傾斜面４４Ｃで表示部３１側に内部反射される。また、第２傾斜面４４Ｄは、上方側から下方側に向かって表示部３１側と反対側に傾斜しているため、表示部３１を下方側から上方側に横切るように導光板４０の内部を伝搬する光Ｌ６は、第２傾斜面４４Ｄで表示部３１側に内部反射される。このため、これら光Ｌ５，Ｌ６の一部は、反射型ディスプレイ３０の表示部３１に入射する。なお、ステップ４４の第１傾斜面４４Ｃ及び第２傾斜面４４Ｄの角度は、内部反射した光の少なくとも一部が平面領域４５内に位置する表示部３１に入射するようにされている。
【００８３】
本実施形態では、上記のように、導光板４０は、光源５０から出射する光が入射する光源用入射面４１Ａと、車両ＶＥの外部に位置する光源５０から出射する光が入射する外光用入射面４１Ｂとを有する。このため、昼夜を問わず表示部３１に情報を表示できるため、標識灯１として機能できる。また、本実施形態の標識灯１は、外光用入射面４１Ｂがない場合と比べて、より多くの外光を表示部３１に入射し得る。このため、反射型ディスプレイ３０の表示部３１から出射される光の輝度の低下をより抑制し得る。
【００８４】
本実施形態では、標識灯１は反射型ディスプレイ３０を収容する筐体１０を備え、導光板４０はこの筐体１０の一部とされている。このため、反射型ディスプレイ３０が筐体１０によって保護される。また、導光板４０は筐体１０の一部とされるため、導光板４０が筐体１０の一部とされない場合と比べて、部品点数が多くなることを抑制することができる。
【００８５】
（第４実施形態）
次に、本発明の第４実施形態について図１１、図１２を参照して詳細に説明する。図１１は、本発明の第４実施形態における標識灯を図２と同様に示す図であり、図１２は、図１１に示す標識灯を図３と同様に示す図である。なお、第１実施形態と同一又は同等の構成要素については、特に説明する場合を除き、同一の参照符号を付して重複する説明は省略する。
【００８６】
図１１、図１２に示すように、本実施形態の標識灯１は、光源５０を備えない点、及び導光板４０に替わって光出射部材としての面発光体８０を備える点で第１実施形態の標識灯１と異なる。
【００８７】
図１１、図１２に示すように、本実施形態の表示ユニット２０は、反射型ディスプレイ３０と、面発光体８０と、制御部７０とを主な構成として備え、筐体１０の内部空間１４に収容され、不図示の手段によって筐体１０に固定されている。
【００８８】
本実施形態の面発光体８０は、長方形の外形を有し、反射型ディスプレイ３０の表示部３１の表示面３１Ｓに対向して配置されている。面発光体８０は、当該面発光体８０を平面視する場合に、表示部３１の表示面３１Ｓの全体を覆っている。
【００８９】
図１３は、図１２におけるXIII−XIII線に沿った表示ユニット２０の断面図である。なお、図１３では反射型ディスプレイ３０における表示部３１の内部の記載及び縁部カバー３２の記載が省略されている。本実施形態の面発光体８０は、図１３に示すように、透光性基板８１、反射電極８２、ＯＬＥＤ（有機発光ダイオード）層８３、透明電極８４を主な構成として備える。
【００９０】
透光性基板８１は、制御部７０に接続される回路が形成される基板であり、反射型ディスプレイ３０の表示部３１側と反対側に位置し、例えばガラス基板とされる。反射電極８２は、透光性基板８１の搭載面上に間隔をあけて複数設けられている。本実施形態では、複数の反射電極８２は、面発光体８０を平面視する場合に、互いに平行な直線状に延在しており、反射型ディスプレイ３０の表示部３１を上下方向に横切っている。ＯＬＥＤ層８３は、ＯＬＥＤ素子を有し、反射電極８２上に配置される。このＯＬＥＤ層８３を反射電極８２と挟み込むように反射電極８２が配置される。透光性基板８１を介して反射電極８２と透明電極８４との間に電圧が印加されることによって、ＯＬＥＤ層８３から光が出射される。ＯＬＥＤ層８３から出射する光のうち、反射電極８２側に向かう光は反射電極８２によって遮られて透明電極８４側に反射される。一方、透明電極８４側に向かう光は透明電極８４を透過する。
【００９１】
このようにして、面発光体８０は、透明電極８４側から光Ｌ７を出射し、透光性基板８１側から光を非出射とされる。また、面発光体８０では、透明電極８４側から入射する光Ｌ８の一部は、反射電極８２間の隙間を通って透光性基板８１側から出射し、透光性基板８１側から入射する光Ｌ９の一部は、反射電極８２間の隙間を通って透明電極８４側から出射する。上記のように、透光性基板８１は、反射型ディスプレイ３０の表示部３１側と反対側に位置するため、面発光体８０は、表示部３１側に光を出射し、表示部３１側と反対側に光を非出射とされる。また、面発光体８０は、表示部３１側から入射する光及び表示部３１側と反対側から入射する光を透過する。ここで、面発光体８０を平面視した場合、面発光体８０から光が出射する部位は、反射電極８２が形成される部位である。このため、この反射電極８２が形成される部位が表示部３１側に光を出射する発光部８５と理解できる。また、面発光体８０を平面視した場合、表示部３１側から入射する光及び表示部３１側と反対側から入射する光を透過する部位は、反射電極８２が非形成とされる部位であり、反射電極８２間の部位である。このため、この反射電極８２間の部位が表示部３１側から入射する光及び表示部３１側と反対側から入射する光を透過する透過部８６と理解できる。従って、面発光体８０は、表示部３１側に光を出射する複数の発光部８５と、発光部８５間に位置し表示部３１側から入射する光及び表示部３１側と反対側から入射する光を透過する透過部８６と、を有している。言い換えると、面発光体８０は、表示部３１側から入射する光及び表示部３１側と反対側から入射する光を透過するとともに、表示部３１側から入射する光及び表示部３１側と反対側から入射する光と異なる光であるＯＬＥＤ層８３からの光を表示部３１側に出射すると理解できる。なお、複数の反射電極８２は、上記のように、面発光体８０を平面視する場合に、互いに平行な直線状に延在しているため、発光部８５は、面発光体８０を平面視する場合に、互いに平行な直線状に延在している。また、透過部８６は、このような発光部８５間に位置しているため、発光部８５と同様に、面発光体８０を平面視する場合に、直線状に延在している。また、本実施形態における反射電極８２の短手方向の幅Ｗ３は、反射電極８２間の幅Ｗ４よりも小とされている。言い換えると、発光部８５の短手方向の幅は、発光部８５間の幅よりも小とされている。なお、面発光体８０は、表示部３１側から入射する光及び表示部３１側と反対側から入射する光を透過するとともに、表示部３１側から入射する光及び表示部３１側と反対側から入射する光と異なる光を表示部３１側に出射する限りにおいて特に限定されない。
【００９２】
図１４は、図１２の一部拡大して反射電極の配置を説明する図である。図１４に示すように、反射電極８２は、面発光体８０を平面視する場合に、表示部３１の画素３５間に位置している。このため、面発光体８０も発光部８５は、表示部３１の画素３５間に位置しており、この発光部８５は、この画素３５と重なっていない。なお、本実施形態では、左右方向における画素３５間のそれぞれに１つの反射電極８２が位置している。言い換えると、面発光体８０の発光部８５のピッチは、画素３５の左右方向のピッチと同じとされ、面発光体８０の透過部内に画素３５が位置している。
【００９３】
このような面発光体８０は、反射型ディスプレイ３０に接着される。具体的には、図１３に示すように、
面発光体８０と表示部３１との間に配置され光透過性を有する接着層９０によって、面発光体８０の一方の面が表示部３１に接着される。つまり、接着層９０は、面発光体８０と表示部３１との間に介在して面発光体８０と表示部３１とを接着する接着層である。本実施形態では、接着層６０は面発光体８０と縁部カバー３２との間にも介在しており、面発光体８０は縁部カバー３２にも接着されている。また、接着層９０は、無色で透光性を有し、反射型ディスプレイ３０の表示部３１の表示面３１Ｓを覆っている。このため、面発光体８０の表示部３１側の面から出射する光の一部は、接着層９０を透過して表示部３１に入射する。また、表示部３１の表示面３１Ｓから出射する光の一部は、接着層９０を透過して面発光体８０に入射し、面発光体８０の透過部８６を透過して表示部３１側と反対側の面から出射する。なお、本実施形態の接着層９０の屈折率は、面発光体８０の透明電極８４の屈折率と表示部３１における表示面３１Ｓを構成する部材の屈折率との間の値とされている。このような接着層９０は、光透過性を有して導光板４０と反射型ディスプレイ３０とを接着する限りにおいて、特に限定されるものではない。接着層９０の材料として、例えば、熱可塑性樹脂、熱硬化性樹脂や光硬化樹脂等が挙げられる。
【００９４】
ところで、上記のように、反射型ディスプレイ３０は表示部３１の表示面３１Ｓがカバー１３と対向するように配置されており、面発光体８０は表示面３１Ｓを覆い、接着層９０は表示面３１Ｓと導光板４０との間に介在している。また、カバー１３、及び接着層６０は透光性を有し、面発光体８０は透過部８６を有する。このため、反射型ディスプレイ３０における表示部３１の表示面３１Ｓは、車両ＶＥの外部からカバー１３、枠体１１における車両ＶＥの外部側の開口、面発光体８０の透過部８６、及び接着層９０を介して視認可能とされている。つまり、反射型ディスプレイ３０は、車両ＶＥの外部に向かって表示を行える。また、反射型ディスプレイ３０は、表示部３１の表示面３１Ｓに太陽や街路灯等の車両ＶＥの外部に位置する光源からの光である外光が入射するように配置されている。
【００９５】
制御部７０は、図１２に示すように、上記の表示部３１の走査線駆動回路３４Ｈと、データ線駆動回路３４Ｖと、面発光体８０の透光性基板８１とに電気的に接続されている。この制御部７０は、表示部３１の各画素３５の光の出射と非出射の状態及び面発光体８０の発光部８５の光の出射と非出射の状態を制御する。制御部７０は、この制御を外部から制御部７０に入力する信号に基づいて行う。本実施形態では、制御部７０は、車両ＶＥの制御装置７５等に電気的に接続されている。
【００９６】
次に、表示ユニット２０の動作について説明する。
【００９７】
以下では、ストップランプ領域３１Ａが点灯される場合を例に説明し、ターンランプ領域３１Ｂが点滅される場合、及びバックランプ領域３１Ｃが点灯される場合については説明を省略する。上記の制御部７０は、車両ＶＥの制御装置７５からのブレーキ動作を示す信号を検知して、ブレーキ動作を示す信号が制御部に入力している入力状態の場合には、表示部３１及び面発光体８０を制御して、表示部３１のストップランプ領域３１Ａを点灯させる。具体的には、制御部７０は、面発光体８０を制御して、面発光体８０の発光部８５から光を出射させる。面発光体８０の発光部８５から出射する光は、接着層９０を透過して表示部３１の表示面３１Ｓに入射する。更に、制御部７０は、上記の走査線駆動回路３４Ｈ及びデータ線駆動回路３４Ｖを駆動させる。走査線駆動回路３４Ｈ及びデータ線駆動回路３４Ｖは、ストップランプ領域３１Ａにおけるそれぞれの画素３５の赤色表示用ドット３６Ｒが入射する光を反射して光を出射する状態に調節する。なお、他の画素３５の各表示用ドットは光を出射しない状態に調整される。このため、上記のように面発光体８０から出射して表示部３１の表示面３１Ｓに入射する光は、入射する光を反射して光を出射する状態とされたストップランプ領域３１Ａにおけるそれぞれの画素３５の赤色表示用ドット３６Ｒから出射する。また、上記のように、反射型ディスプレイ３０における表示部３１の表示面３１Ｓには、太陽や街路灯等の車両ＶＥの外部に位置する光源からの光である外光も入射する。このため、表示面３１Ｓに入射する光は、面発光体８０の発光部８５から出射して表示面３１Ｓに入射する光と同様に、入射する光を反射して光を出射する状態とされたストップランプ領域３１Ａにおけるそれぞれの画素３５の赤色表示用ドット３６Ｒから出射する。このように、面発光体８０の発光部８５から出射する光及び外光がストップランプ領域３１Ａにおけるそれぞれの画素３５の赤色表示用ドット３６Ｒから出射することで、ストップランプ領域３１Ａが点灯され、標識灯１によってブレーキが操作されたことを示す情報が表示される。
【００９８】
以上説明したように、本実施形態の車両用表示装置である標識灯１は、車両ＶＥの外部に向かって表示を行う反射型ディスプレイ３０と、反射型ディスプレイ３０の表示部３１に対向して配置される光出射部材としての面発光体８０と、を備える。面発光体８０は、表示部３１側に光を出射する複数の発光部８５と、発光部８５間に位置し表示部３１側から入射する光及び表示部３１側と反対側から入射する光を透過する透過部８６と、を有する。
【００９９】
このため、面発光体８０の透過部８６に入射する外光は、当該透過部８６を透過して表示部３１に入射し得る。また、表示部３１から出射して面発光体８０の透過部８６に入射する光は、当該透過部８６を透過して当該透過部８６の表示部３１側と反対側から出射し得る。このため、反射型ディスプレイ３０は太陽光を含む外光を用いて情報を表示することができ、自発光型ディスプレイと比べて太陽光が照射される環境における情報の視認性が低下することを抑制し得る。また、面発光体８０の発光部８５は表示部３１側に光を出射するため、発光部８５から出射する光は表示部３１に入射し得る。このため、反射型ディスプレイ３０は、外光及び発光部８５から出射する光を用いて表示を行うことができる。このため、透過部８６を透過して表示部３１に入射する外光の量が低下する場合であっても、反射型ディスプレイ３０の表示部３１から出射される光の輝度の低下を抑制し得る。このように、本実施形態の標識灯１では、表示される情報の視認性の低下を抑制し得る。
【０１００】
本実施形態では、面発光体８０の発光部８５は、表示部３１側と反対側に光を非出射とされる。このため、例えば発光部８５から光が出射されている場合であっても、表示部３１に表示される情報の視認性が低下することを抑制し得る。なお、発光部８５は、表示部３１側と反対側に光を出射しても良い。しかし、表示部３１に表示される情報の視認性が低下することを抑制する観点では、発光部８５は、表示部３１側と反対側に光を非出射とされることが好ましい。
【０１０１】
本実施形態では、標識灯１は、面発光体８０と表示部３１との間に介在する光透過性の接着層９０を備える。このため、面発光体８０と表示部３１との間に空気の層が介在する場合と比べて、面発光体８０の発光部８５から出射する光が面発光体８０の表示部３１側の面でフルネル反射することを抑制し得る。このため、より多くの光を表示部３１に入射させ得るため、反射型ディスプレイ３０の表示部３１から出射される光の輝度の低下をより抑制し得る。また、反射型ディスプレイ３０の表示部３１から出射する光が面発光体８０の表示部３１側の面でフルネル反射することを抑制し得る。このため、表示部３１から出射して面発光体８０の透過部８６を透過する光の輝度の低下を抑制し得る。従って、表示部３１に表示される情報の視認性の低下を抑制し得る。
【０１０２】
本実施形態では、面発光体８０の複数の発光部８５は、面発光体８０を平面視する場合に、表示部３１の画素３５間に位置する。このため、面発光体８０の発光部８５と表示部３１の画素３５とが重ならないため、表示部３１に表示される情報が欠けて見えたりすることを抑制し得る。このため、面発光体８０の発光部８５によって表示部３１に表示される情報の視認性が低下することを抑制し得る。
【０１０３】
本実施形態では、面発光体８０の複数の発光部８５は、面発光体８０を平面視する場合に、互いに平行な直線状に延在し、発光部８５のピッチは、表示部３１の画素３５のピッチと同じとされている。このため、複数の発光部８５が互いに平行な直線状に延在しない場合と比べて、面発光体８０の生産性が向上し得る。また、面発光体８０の発光部８５と表示部３１に表示される情報とが干渉してモアレが生じることを抑制し得る。このため、発光部８５によって表示部３１に表示される情報の視認性が低下することを抑制し得る。
【０１０４】
なお、表示部３１に表示される情報の視認性が低下することを抑制する観点では、複数の発光部８５は、面発光体８０を平面視する場合に、互いに平行な直線状に延在し、発光部８５の短手方向の幅Ｗ３は、０．１ｍｍ以上２．５ｍｍ以下であるとともに発光部８５間の幅Ｗ４よりも小とされることが好ましい。このような構成にすることで、人が発光部８５を認識することが難しくなり、発光部８５と重なる表示部３１に表示される情報が欠けて見えたりすることを抑制し得る。このため、発光部８５によって表示部３１に表示される情報の視認性が低下することを抑制し得る。
【０１０５】
本実施形態では、反射型ディスプレイ３０の表示部３１に入射する光を出射する面発光体８０を備える。このため、昼夜を問わず表示部３１に情報を表示できるため、標識灯１として機能できる。
【０１０６】
以上、本発明について、実施形態を例に説明したが、本発明はこれらに限定されるものではない。
【０１０７】
本発明は、光出射部材が、表示部３１側から入射する光及び表示部３１側と反対側から入射する光を透過するとともに、表示部３１側から入射する光及び表示部３１側と反対側から入射する光と異なる光を表示部３１側に出射すれば良い。従って、例えば、上記実施形態において、光出射部材としの導光板４０の複数のステップ領域４３が、導光板４０を平面視する場合に、表示部３１の画素３５間に位置しなくても良い。また、上記実施形態において、光出射部材としの面発光体８０の複数の発光部８５は、面発光体８０を平面視する場合に、表示部３１の画素３５間に位置しなくても良い。しかし、表示部３１に表示される情報の視認性が低下することを抑制する観点において、光出射部材としての導光板４０のステップ領域４３や光出射部材として面発光体８０の発光部８５は、表示部３１の画素３５間に位置していることが好ましい。
【０１０８】
また、上記実施形態では、複数のステップ領域４３は、導光板４０を平面視する場合に、互いに平行な直線状に延在する領域とされていた。しかし、複数のステップ領域４３は、導光板４０を平面視する場合に、断続的に直線状に延在する領域であっても良く、曲線状に延在する領域であっても良く、格子状の領域であっても良い。また、上記実施形態では、複数の発光部８５は、面発光体８０を平面視する場合に、互いに平行な直線状に延在していた。しかし、複数の発光部８５は、面発光体８０を平面視する場合に、断続的に直線状に延在していても良く、曲線状に延在していても良く、格子状に形成されていても良い。
【０１０９】
また、上記実施形態では、ステップ領域４３のピッチは、表示部３１の画素３５のピッチと同じとされていた。しかし、ステップ４４と表示部３１に表示される情報とが干渉してモアレが生じることを抑制する観点において、ステップ領域４３のピッチは、表示部３１の画素３５のピッチの自然数倍であれば良い。また、上記実施形態では、発光部８５のピッチは、表示部３１の画素３５のピッチと同じとされていた。しかし、発光部８５と表示部３１に表示される情報とが干渉してモアレが生じることを抑制する観点において、発光部８５のピッチは、表示部３１の画素３５のピッチの自然数倍であれば良い。
【０１１０】
また、上記本実施形態では、反射部４２は、入射面４１から入射する光を表示部３１側に内部反射していた。しかし、反射型ディスプレイ３０の表示部３１から出射される光の輝度の低下を抑制する観点において、反射部４２は、少なくとも入射面４１から入射する光Ｌ１を内部反射すれば良い。このような構成にすることで、入射面４１から入射する光Ｌ１を反射部４２で内部反射してステップ４４に向かわせ得る。このため、導光板４０の側面の少なくとも一部が入射面４１から入射する光を内部反射する反射部４２とされない場合と比べて、より多くの光を表示部３１に入射させ得るため、反射型ディスプレイ３０の表示部３１から出射される光の輝度の低下をより抑制し得る。なお、このような場合、ステップは、反射部４２で内部反射した光を表示部３１側に反射させる傾斜面を有していることが好ましい。
【０１１１】
また、上記本実施形態では、ステップ４４は、導光板４０における表示部３１側と反対側の面が表示部３１側に凹む凹みとされていた。しかし、ステップ４４は、入射面４１や光源用入射面４１Ａや外光用入射面４１Ｂから入射して導光板４０の内部を伝搬する光を表示部３１側に内部反射する限りにおいて特に限定されない。
【０１１２】
また、上記本実施形態では、導光板４０と表示部３１との間に光透過性の接着層６０が介在していた。しかし、導光板４０と表示部３１との間に接着層６０が介在していなくても良く、導光板４０は反射型ディスプレイ３０とは異なる部材、例えば筐体１０に取り付けられていても良い。しかし、上記のように、表示部３１に表示される情報の視認性の低下を抑制する観点において、導光板４０と表示部３１との間に光透過性の接着層６０が介在していることが好ましい。また、上記本実施形態では、面発光体８０と表示部３１との間に光透過性の接着層９０が介在していた。しかし、面発光体８０と表示部３１との間に接着層９０が介在していなくても良く、面発光体８０は反射型ディスプレイ３０とは異なる部材、例えば筐体１０に取り付けられていても良い。しかし、上記のように、表示部３１に表示される情報の視認性の低下を抑制する観点において、面発光体８０と表示部３１との間に光透過性の接着層６０が介在していることが好ましい。
【０１１３】
また、上記実施形態では、反射型ディスプレイ３０は光源を有していなかった。しかし、反射型ディスプレイは、光源であるバックライトやフロントライトを有する反射型ディスプレイであっても良い。
【０１１４】
また、上記実施形態では、車両ＶＥの左右方向のそれぞれに１つずつ設けられる標識灯１を例に説明したが、標識灯１は車両ＶＥの左右方向のそれぞれに少なくとも１つずつ設けられれば良く、左側に複数設けられても良く、右側に複数設けられても良く、左右の両側に複数設けられても良い。
【０１１５】
また、上記実施形態では、車両用表示装置として標識灯１を例に説明したが、車両用表示装置は標識灯に限らず、車両の外部に向かって画像等を表示する表示装置であっても良い。このような表示装置の場合には、例えば制御部７０は、画像表示指示部等に電気的に接続される。画像表示指示部は、表示部３１に画像を表示させる信号を出力する。この信号には、画像の内容にかかる情報が含まれている。制御部７０は、この画像表示指示部からの信号に基づいて、表示部３１を制御して、表示部３１に画像を表示させる。
【０１１６】
また、本発明の車両用表示装置が標識灯等ではなく常に表示し得る必要性がなく日中に表示し得れば良い車両用表示装置である場合には、車両用表示装置は光源を備えない構成であっても良い。このような構成として、例えば、第３実施形態において、光源５０を備えない構成が挙げられる。
【０１１７】
また、上記実施形態では、無色で透光性を有する材料で構成されるカバー１３を例に説明したが、カバー１３は透光性を有すれば良く、有色であっても良い。しかし、カバー１３を介して表示部３１に入射する外光を効果的に表示部３１の表示に用いる観点からカバー１３は無色であることが好ましい。
【０１１８】
また、上記実施形態では、無色で透光性を有する材料で構成される導光板４０を例に説明したが、導光板４０は透光性を有すれば良く、有色であっても良い。しかし、導光板４０を介して表示部３１に入射する外光を表示部３１の表示に用いるため、例えば表示部３１が複数色の光によって表示を行う場合では、無色であることが好ましい。
【産業上の利用可能性】
【０１１９】
本発明によれば、表示される情報の視認性の低下を抑制し得る車両用表示装置が提供され、自動車等の車両の分野などにおいて利用可能である。
【符号の説明】
【０１２０】
１・・・標識灯（車両用表示装置）
１０・・・筐体
１１・・・枠体
２０・・・表示ユニット
３０・・・反射型ディスプレイ
３１・・・表示部
４０・・・導光板（光出射部材）
４１・・・入射面
４２・・・反射部
４３・・・ステップ領域
４４・・・ステップ
４５・・・平面領域
５０・・・光源
６０，９０・・・接着層
７０・・・制御部
８０・・・面発光体（光出射部材）
８１・・・透光性基板
８２・・・反射電極
８３・・・ＯＬＥＤ層
８４・・・透明電極
８５・・・発光部
８６・・・透過部
ＶＥ・・・車両
Ｗ１・・・ステップ領域の短手方向幅
Ｗ２・・・ステップ領域間の幅
Ｗ３・・・発光部の短手方向幅
Ｗ４・・・発光部間の幅
【図１】
2019185896.tif 000003
【図２】
2019185896.tif 000004
【図３】
2019185896.tif 000005
【図４】
2019185896.tif 000006
【図５】
2019185896.tif 000007
【図６】
2019185896.tif 000008
【図７】
2019185896.tif 000009
【図８】
2019185896.tif 000010
【図９】
2019185896.tif 000011
【図１０】
2019185896.tif 000012
【図１１】
2019185896.tif 000013
【図１２】
2019185896.tif 000014
【図１３】
2019185896.tif 000015
【図１４】
2019185896.tif 000016